(57)【要約】【課題】印刷基材に漉きこまれた偽造防止材（スレッド）が印刷基材の開口部から表裏異なったパターンとして表出する偽造防止材及びこれを備えた印刷基材を提供する。【解決手段】透明なフィルム基材上に、少なくとも、第一の金属薄膜層，第二の金属薄膜層が順次形成された偽造防止材であって、第一の金属薄膜層と第二の金属薄膜層の何れか、または、両方に所定のパターンが形成された偽造防止材、および、このような偽造防止材を備えた印刷基材を提供する。【選択図】  図１
2008119909.tif 000002
【特許請求の範囲】
【請求項１】
透明なフィルム基材上に、少なくとも、第一の金属薄膜層，第二の金属薄膜層が順次形成された偽造防止材であって、
第一の金属薄膜層と第二の金属薄膜層の何れか、または、両方に所定のパターンが形成されたことを特徴とする偽造防止材。
【請求項２】
請求項１に記載の偽造防止材において、
透明なフィルム基材と第一の金属薄膜層の間にさらに透明樹脂層が形成されたことを特徴とする偽造防止材。
【請求項３】
請求項１，２何れかに記載の偽造防止材において、
第一の金属薄膜層と第二の金属薄膜層の間にさらに中間樹脂層が形成されたことを特徴とする偽造防止材。
【請求項４】
請求項１〜３何れかに記載の偽造防止材において、
第一の金属薄膜層と第二の金属薄膜層の両方にパターンが形成された場合は、形成されたパターンは、重ならない状態で形成されたことを特徴とする偽造防止材。
【請求項５】
請求項２〜４何れかに記載の偽造防止材において、
透明な樹脂層にはセキュリティ図柄が形成されたことを特徴とする偽造防止材。
【請求項６】
請求項１〜５何れかに記載の偽造防止材において、
第一の金属薄膜層と第二の金属薄膜層は異なる金属により構成されたことを特徴とする偽造防止材。
【請求項７】
請求項３〜５何れかに記載の偽造防止材において、
第一の金属薄膜層と第二の金属薄膜層が同一の金属で構成された場合、中間樹脂層は着色された樹脂層、または、印刷された層の何れかであることを特徴とする偽造防止材。
【請求項８】
請求項１〜７に記載の偽造防止材を備えた印刷基材であって、
偽造防止材は帯状の形態をなし、印刷基材の一部にスレッドとして漉き込まれたことを特徴とする偽造防止材を備えた印刷基材。
【請求項９】
請求項８に記載の偽造防止材を備えた印刷基材において、
印刷基材には、帯状のスレッドに沿ってスレッドの一部を表出する複数の開口部が印刷基材の表裏何れか、または、両方に形成されたことを特徴とする偽造防止材を備えた印刷基材。
【発明の詳細な説明】
【技術分野】
【０００１】
本発明は、偽造防止材と、偽造防止材が紙の一部に形成された印刷基材に関する。
【背景技術】
【０００２】
紙の層間にスレッドと呼ばれるプラスチックの帯を挿入した偽造防止用紙は、従来から商品券や株券などの有価証券，紙幣などに使用されている。
スレッドを挿入した偽造防止用紙の多くは、用紙内部に漉き込まれたスレッドの一部が用紙表面に表出したものである。
これら、スレッドの多くは金属光沢を有するプラスチックの細い帯になっており、基材（多くの場合、紙）に部分的に表出するように漉き込まれている。
このような偽造防止用紙が広い分野で利用されてくると、市販されている金属光沢を有する転写箔を使って、紙に部分的に表出するように転写した偽物が現れる。
また、スレッドが漉き込まれた偽造防止用紙が広い分野で使用されてくると、それが当たり前のように感じられてしまい、偽造防止の効果が低下してくる。
そこで、用紙基材の一部を除去することにより開けられた複数個の窓から、スレッドを目視することができる「スレッド入り偽造防止用紙」（例えば、特許文献１参照）が提供されている。
【０００３】
【特許文献１】特開２００１−１７２８９７号公報
【発明の開示】
【発明が解決しようとする課題】
【０００４】
特許文献１に開示されている技術は、紙の層間にスレッドを形成し、紙の表裏からスレッドの同じ部分を視認できるようにしたり、違った部分を視認できるようにした技術である。
そこで本発明の偽造防止材及びこれを備えた印刷基材は、印刷基材に漉きこまれた偽造防止材（スレッド）が印刷基材の開口部から表裏異なったパターンとして表出する偽造防止材及びこれを備えた印刷基材を提供することを目的とするものである。
【課題を解決するための手段】
【０００５】
前記課題の目的を達成するために、本発明の偽造防止材の第一の態様は、透明なフィルム基材上に、少なくとも、第一の金属薄膜層，第二の金属薄膜層が順次形成された偽造防止材であって、第一の金属薄膜層と第二の金属薄膜層の何れか、または、両方に所定のパターンが形成されたことを特徴とするものである。
【０００６】
また、第二の態様は、第一の態様において、透明なフィルム基材と第一の金属薄膜層の間にさらに透明樹脂層が形成されたことを特徴とするものである。
【０００７】
また、第三の態様は、第一，第二何れかの態様において、第一の金属薄膜層と第二の金属薄膜層の間にさらに中間樹脂層が形成されたことを特徴とするものである。
【０００８】
また、第四の態様は、第一から第三何れかの態様において、第一の金属薄膜層と第二の金属薄膜層の両方にパターンが形成された場合は、形成されたパターンは、重ならない状態で形成されたことを特徴とするものである。
【０００９】
また、第五の態様は、第二から第四何れかの態様において、透明な樹脂層にはセキュリティ図柄が形成されたことを特徴とするものである。
【００１０】
また、第六の態様は、第一から第五何れかの態様において、第一の金属薄膜層と第二の金属薄膜層は異なる金属により構成されたことを特徴とするものである。
【００１１】
また、第七の態様は、第三から第五何れかの態様において、第一の金属薄膜層と第二の金属薄膜層が同一の金属で構成された場合、中間樹脂層は着色された樹脂層、または、印刷された層の何れかであることを特徴とするものである。
【００１２】
また、第八の態様は、第一から第七の態様の偽造防止材を備えた印刷基材であって、偽造防止材は帯状の形態をなし、印刷基材の一部にスレッドとして漉き込まれたことを特徴とするものである。
【００１３】
また、第九の態様は、第八の態様において、印刷基材には、帯状のスレッドに沿ってスレッドの一部を表出する複数の開口部が印刷基材の表裏何れか、または、両方に形成されたことを特徴とするものである。
【発明の効果】
【００１４】
１）第一〜第三の態様のように、透明なフィルム基材上に、少なくとも、第一の金属薄膜層，第二の金属薄膜層が順次形成され、さらに、透明なフィルム基材と第一の金属薄膜層の間に透明樹脂層が、第一の金属薄膜層と第二の金属薄膜層の間に中間樹脂層が形成された偽造防止材であって、第一の金属薄膜層と第二の金属薄膜層の何れか、または、両方に所定のパターンが形成されたことによって、偽造防止材の表裏に異なったパターンを表出することができる。
２）また、第四の態様のように、第一から第三何れかの態様において、第一の金属薄膜層と第二の金属薄膜層の両方にパターンが形成された場合は、形成されたパターンは、重ならない状態で形成されたことによって、偽造防止材の表裏に異なったパターンを表出することができ、同一面積中に二倍の情報を保持させることができる。
また、微細パターンの形成状態を明確に目視することができ、さらに、パターンニング技術のレベルを判断することができる。その結果、偽造防止の効果を一段と高めることができる。
３）また、第五の態様のように、第二から第四何れかの態様において、透明な樹脂層にはセキュリティ図柄が形成されたことによって、例えば、光回折構造などを形成することができ、偽造防止効果を更に高めることができる。
４）また、第六の態様のように、第一から第五何れかの態様において、第一の金属薄膜層と第二の金属薄膜層は異なる金属により構成されたことによって、表裏から視認される反射色が異なり、開口部が小さくても表裏のパターンの違いを一段と視認し易くすることができる。
５）また、第七の態様のように、第三から第五何れかの態様において、第一の金属薄膜層と第二の金属薄膜層が同一の金属で構成された場合、中間樹脂層は着色された樹脂層、または、印刷された層の何れかであることによって、表裏から視認される反射色が異なり、開口部が小さくても表裏のパターンの違いを視認し易くすることができる。
６）また、第八の態様のように、第一から第七の態様の偽造防止材を備えた印刷基材であって、偽造防止材は帯状の形態をなし、印刷基材の一部にスレッドとして漉き込まれたことによって、スレッド漉き込み印刷用紙の偽造防止効果を高めることができる。
７）また、第九の態様のように、第八の態様において、印刷基材には、帯状のスレッドに沿ってスレッドの一部を表出する複数の開口部が印刷基材の表裏何れか、または、両方に形成されたことによって、例えば、開口部が印刷基材を貫通する状態になっている箇所では、スレッドの表裏に異なったパターンを表出することができ、スレッド漉き込み印刷用紙の偽造防止効果を一段と高めることができる。
【発明を実施するための最良の形態】
【００１５】
以下、図面を参照して、本発明の偽造防止材及びこれを備えた印刷基材について説明する。
図１は、本発明の偽造防止材の一例について説明するための図，図２は、図１の裏面について説明するための図，図３は、図１のＡ−Ａ線断面について説明するための図，図４は、従来の偽造防止材の一例について説明するための図，図５は、本発明の偽造防止材を備えた印刷基材を使用した印刷物の一例について説明するための図，図６は、図５のＢ−Ｂ線断面の一例について説明するための図，である。
以下の説明では、セキュリティ図柄について、光回折構造の例で説明する。
また、第一の金属薄膜層と第二の金属薄膜層には何れにもパターンが形成され、それぞれのパターンが重ならないように形成された例で説明する。
【００１６】
図１を参照して、本発明の偽造防止材の一例について説明する。
本発明の偽造防止材１は、透明なフィルム基材（図示せず）上に、少なくとも、透明な樹脂層（セキュリティ図柄２が形成された層）、第一の金属薄膜層３、中間樹脂層（図示せず）、第二の金属薄膜層５が順次形成された状態になっている。
第一の金属薄膜層３には「川のパターン」が形成され、第二の金属薄膜層５には「星のパターン」が形成されている。
第一の金属薄膜層に形成された「川のパターン」と第二の金属薄膜層に形成された「星のパターン」は、それぞれが重ならないように形成される。
図１に示す面を表側とした場合に、表側からは、「川のパターン」が第二の金属薄膜層５の色で視認することができ、「星のパターン」は視認することができない状態になっている。
【００１７】
図２を参照して、図１の裏面について説明する。
図１の偽造防止材１の裏面は、図２に示す状態になっている。すなわち、第二の金属薄膜層５，中間樹脂層（図示せず），第一の金属薄膜層（図示せず），透明な樹脂層（セキュリティ図柄２が形成された層），透明なフィルム基材（図示せず）が順次形成された状態になっている。
裏側最表面には、第二の金属薄膜層５に錆などが発生し難いように、保護層を設けても良い。前記中間樹脂層は省略しても良いが、第二の金属薄膜層と第二の金属薄膜層間でイオン交換を行われ、腐食が進む可能性がある場合や、第二の金属薄膜層をパターンニングする際に第一の金属薄膜層をアタックする場合があり、そのような場合は、中間樹脂層を設ける。
【００１８】
第一の金属薄膜層（図示せず）には「川のパターン」が形成され、第二の金属薄膜層５には「星のパターン」が形成されている。
図２に示す面からは、「星のパターン」が第一の金属薄膜層の色で視認することができるが、「川のパターン」は視認することができない状態になっていいる。
矢印の位置、「ａ」，「ｂ」，「ｃ」，「ｄ」，「ｅ」は、図１の「ａ」，「ｂ」，「ｃ」，「ｄ」，「ｅ」に対応している。
【００１９】
図３を参照して、図１に示す、偽造防止材１のＡ−Ａ線断面について説明する。
偽造防止材１は、図の上部から、透明なフィルム基材１０，透明な樹脂層２，第一の金属薄膜層３，中間樹脂層４，第二の金属薄膜層５、必要であれば第二の金属薄膜層５の表出面に保護層が順次形成されている。
また、第一の金属薄膜層３と第二の金属薄膜層５にはそれぞれに所定のパターンが重ならないように形成されている。
さらに、第一の金属薄膜層３と第二の金属薄膜層５は、少なくとも、反射色が異なる金属により構成されている。
第一の金属薄膜層３と第二の金属薄膜層５を、少なくとも反射色が同一、または、近似の金属で構成する場合、中間樹脂層４を着色し、第一の金属薄膜層３と第二の金属薄膜層５が異なる色で視認されるようにする。
その結果、透明なフィルム基材１０側から見た場合に、「ｂ」，「ｄ」の位置に「川のパターン」でセキュリティ図柄２が視認される。また、「川のパターン」は、第二の金属薄膜層５の色で視認される。「ａ」，「ｃ」，「ｅ」を含むその他の位置には、セキュリティ図柄２が第一の金属薄膜層３の色で視認される。
【００２０】
一方、偽造防止材１を裏側から見た場合に、「川のパターン」は視認されず、「ａ」，「ｃ」，「ｅ」の位置に、「星のパターン」でセキュリティ図柄２が視認される。
「ｂ」，「ｄ」を含む「星のパターン」以外のエリアは、第二の金属薄膜層５の色が視認されるだけである。
【００２１】
ここで、セキュリティ図柄２を構成する光回折構造について説明する。
一般に、光回折構造の使用方法として、光回折構造が形成されたベースフィルムのまま使用する方法と、光回折構造が形成された樹脂部だけ対象物に転写して使用する方法がある。
光回折構造がベースフィルムのまま使用される場合は、ベースフィルムの片側に熱硬化性の樹脂層が形成され、熱硬化性の樹脂層に光回折構造が形成され、光回折構造の上に多くの場合薄い金属による反射層が形成され、その上に粘着剤層または接着剤層が形成され、テープ状にスリットされ、またはラベル状に打ち抜かれて使用される。
光回折構造が形成された樹脂部だけが対象物に転写されて使用される場合は、耐熱性を有する基材フィルム上に剥離層が形成され、その上に、例えば、熱硬化性の樹脂層が形成され、熱硬化性の樹脂層に光回折構造が形成され、反射層が形成され、その上に感熱接着剤層が形成されて、熱せられた金属の型などによって、接着剤層を含めた極めて薄い光回折構造形成層が紙などの印刷物上に転写されて使用される。
【００２２】
前記反射層は、前述の光回折構造形成層に反射性を与えるために設けられる。反射層には、不透明な反射層と、透明性を有する反射層とがあるが、意匠効果を高める手段として使用する場合は、ニッケル，クロム，アルミニウム，鉄，チタン，銀，金などの金属単体により不透明な反射層を成膜したり、アルミニウムにチタンを混ぜたり、ニッケルにクロムを混ぜて合金による不透明な反射層を成膜する。
反射層を形成する方法としては、スパッタリング法，真空蒸着法，イオンブレーティング法などがあり、目的によって使い分ける。
多くの場合で使用されるスパッタリング法は、スパッタリング装置内に製膜したい金属（ターゲット）を設置し、金属と基材フィルムの間に高電圧をかける。スパッタリング装置内にアルゴンガスを導入すると、アルゴンガスが帯電してイオン化される。発生したイオンが高速移動し、金属に衝突すると、金属ターゲットの表面の原子がはじき飛ばされ、プラズマ中にある基板に到達して薄膜を形成する。
【００２３】
また、透明な樹脂層，中間樹脂層，接着剤層などの形成手段として、グラビアコート，ダイコート，ナイフコート，ロールコートなどの一般的なコーティング方法、および、シルクスクリーン印刷，グラビア印刷などの印刷方法などがあり、その中から適宜、選択して使用する。
【００２４】
セキュリティ図柄２の部分は、前述の光回折構造を形成する以外に、文字や図柄を含むパターンを通常のインキで印刷して使用することができる。
セキュリティ図柄２の部分を文字や図柄を含むパターンを印刷して使用する場合、マイクロ文字をあしらったパターンや、これらパターンに反射層を付加し、金属光沢を付与したりして使用することができる。
セキュリティ図柄２の部分を変色インキを使用した印刷部として使用する場合は、例えば、特殊な波長領域で発色するインキを用いたり、角度を変化させると異なる色で反射する液晶インキなどを用いて使用する。
また、上述の通常の印刷部で構成する場合は、例えば、印刷基材に印刷する印刷内容や、金額などを隠し文字として印刷し、使用することができる。
【００２５】
図４を参照して、従来の偽造防止材の一例について説明する。
従来の偽造防止材は、図の上部から、透明なフィルム基材１００、透明な樹脂層２０、第一の金属薄膜層３０が順次形成された構成になっている。さらに、図に示すように、第一の金属薄膜層３０にパターンが形成される場合もある。
従って、偽造防止材を透明なフィルム基材１００側から見ても、第一の金属薄膜層３０側から見ても、同一の状態が視認される。
【００２６】
図５を参照して、本発明の偽造防止材を備えた印刷基材を使用した印刷物の一例について説明する。
紙の層間に偽造防止材（以下、スレッドという）１を挿入した偽造防止用紙は、商品券や株券などの有価証券，紙幣などに多く使用される。
スレッドを挿入した印刷基材６の多くは、図に示すように、印刷基材６の内部に漉き込まれたスレッド１が印刷基材６の表面に部分的に表出された状態で使用される。
【００２７】
図６を参照して、図５のＢ−Ｂ線断面の一例について説明する。
図６に示す印刷基材の例は、印刷基材６の層間に偽造防止材１が抄きこまれた「窓開きスレッド入り紙」の一例である。
「窓開きスレッド入り紙」として、大きく２種類のものが使用されている。
その一つは、用紙内部に挿入されたスレッドが用紙の表裏に交互に表出する状態で漉き込まれたものや、表裏何れか片側だけに規則的に表出するものである。
他の一つは、用紙を貫通するように形成され、直線状に並べられた複数の開口部にスレッドが表出するものである。
図６に示す例は、後者の例に近く、基材（基紙）の上層基材にスレッドを埋め込み、下層基材に規則的に開口部（表出部）を設けた例を示している。
【００２８】
印刷基材６の抄紙工程で、下層基材６１が最初に形成され、その上部に上層基材６２が積層される。前記積層の直前に、偽造防止材（以下、スレッドという）１が上層基材６２に埋め込まれる状態で形成される。
前述したように、開口部６１１の部分は、下層基材６１を貫通する開口部となっている。
その結果、下層基材６１の開口部の部分は、スレッド１の同一部分を表裏から視認することができる状態になっている。
スレッド１の層構成は、図３で説明したとおりであるが、印刷基材６に固定するために接着剤層７をスレッドの最下層部に設けている。
また、抄紙段階で印刷基材６の層間にスレッドを形成する際に、スレッドの最上部、透明なフィルム基材１０の幅方向端部表面に上層基材の一部６１１を薄く形成させることもできる。その場合は、図示しないが、透明なフィルム基材１０の表面にも接着剤層を形成する。
【００２９】
（材料）
一部、図６を参照して本発明の偽造防止材と印刷基材の材料について製造手順を踏まえて説明する。
本発明の印刷基材６は、有価証券などで利用される坪量７０〜１５０ｇ／ｍ2の基紙を使用する。そのため、上層基紙６２と下層基紙６１のつけ比率を１０：５０〜２５：１２０の範囲内で行う。
また、紙料は、ＮＢＫＰ，ＬＢＫＰに、白土，紙力増強剤，サイズ剤，硫酸バンドを適量加え調製する。
偽造防止材１は、厚さ１６〜２５μｍの透明なフィルム基材１０に、厚さ２〜６μｍの熱硬化性の透明樹脂層を形成し、透明樹脂層にセキュリティ図柄（光回折構造）２を形成し、光回折構造の表面に、スパッタリング手段などを使用して、厚さ０．０４〜０．０８μｍのアルミニウムなどによる第一の金属薄膜層３を形成する。
第一の金属薄膜層３はセキュリティ図柄（光回折構造）２の反射層となる。
第一の金属薄膜層３にデメタライズ手段（パターンニング手段）によってパターンを形成し、その上にロールコーティング手段などを使用して厚さ２〜６μｍなどの熱硬化性、または熱可塑性の樹脂層を中間樹脂層４として形成する。中間樹脂層４は前述のように透明にしたり、着色したりする。
中間樹脂層４の表面に、スパッタリング手段などを使用して、厚さ０．０４〜０．０８μｍの胴などによる第二の金属薄膜層５を形成する。
第二の金属薄膜層５にデメタライズ手段によってパターンを形成する。
パターンが形成された第二の金属薄膜層５は、安全のために樹脂によって被覆する。
第二の金属薄膜層５、または、前記被覆樹脂の表面と透明なフィルム基材１０の表面にビニル系の感熱接着剤を５〜１０μｍの厚さに塗工する。
広幅のスレッド用ロールを、スリッターで微細な帯状にスリットし、スレッドとする。
【産業上の利用可能性】
【００３０】
本発明の偽造防止材は、商品券や株券などの有価証券，紙幣に利用される。
【図面の簡単な説明】
【００３１】
【図１】本発明の偽造防止材の一例について説明するための図である。
【図２】図１の裏面について説明するための図である。
【図３】図１のＡ−Ａ線断面について説明するための図である。
【図４】従来の偽造防止材の一例について説明するための図である。
【図５】本発明の偽造防止材を備えた印刷基材を使用した印刷物の一例について説明するための図である。
【図６】図５のＢ−Ｂ線断面の一例について説明するための図である。
【符号の説明】
【００３２】
１，１００  偽造防止材，スレッド
２，２０  透明樹脂層，セキュリティ図柄
３，３０  第一の金属薄膜層
４      中間樹脂層
５      第二の金属薄膜層
６      印刷基材
７      接着剤層
１０    透明なフィルム基材
６１    下層基材
６２    上層基材
６１１  開口部
６２１  上層基材の一部
【図１】
2008119909.tif 000003
【図２】
2008119909.tif 000004
【図３】
2008119909.tif 000005
【図４】
2008119909.tif 000006
【図５】
2008119909.tif 000007
【図６】
2008119909.tif 000008